(57)【要約】【課題】  カードが挿入されたことを検出するスイッチの接点部分への異物の付着を回避して接触信頼性を向上させ、かつ、低廉なカード検出スイッチ付きカードコネクタを提供する。【解決手段】  カードコネクタ１において、カード検出スイッチ１６を構成する第１検出コンタクト２と第２検出コンタクト３との間の接点をカード収容部１３の外側に配置して、異物の付着を回避した。また、両者間の接点を二箇所として、それぞれの接点で、カードの挿入・抜去の進行に伴う摺動を発生させてワイピングすることで、高い接触信頼性を得た。また、第１検出コンタクト２と第２検出コンタクト３ともに捻り加工を伴わない形状としたことで、加工コストを抑えた。【選択図】図２
2013012451.tif 000002
【特許請求の範囲】
【請求項１】
ハウジングと、
当該ハウジングと組み合わせられるシールドカバーと、
前記ハウジングと前記シールドカバーとによって形成されるカード収容部と、
当該カード収容部へ通じており、正面へ向けて開口するカード挿入口と、
前記ハウジングによって保持され、挿入されたカードの電極に弾性接触する信号コンタクトと、
導電性金属板材によって形成された第１検出コンタクトと、弾性を有する導電性金属板材によって形成された第２検出コンタクトと、からなるカード検出スイッチと、
を備え、
前記第１検出コンタクトは、
前記ハウジングに固定される第１基部を有し、
前記第２検出コンタクトは、
前記ハウジングに固定される第２基部と、
第２基部から連接して前記第１検出コンタクトへ向けて延在させて弾性変位可能に設けられた第２弾性片部とを有し、
当該第２弾性片部は、
前記第２基部から連接する部分を、前記カード収容部の内側方向へ折り曲げて形成され、挿入されたカードに当接して第２弾性片部を弾性変位させるカード当接部と、
当該カード当接部から延在する部分を折り曲げて形成される接触部と、
を有してなるカードコネクタにおいて、
前記第１検出コンタクトと当該接触部とが、前記カード収容部に面していない部分にいおいて弾性接触することを特徴とするカードコネクタ。
【請求項２】
前記第１検出コンタクトは、
当該第１検出コンタクトの先端に位置する先端接触部と、
前記第１基部から先端接触部に至る間に位置する中間接触部とを有し、
前記接触部は、
前記カード当接部から延在する部分を折り曲げて形成され、前記先端接触部と弾性接触する第１接触部と、
当該第１接触部から延在する部分を折り曲げて形成され、前記中間接触部と弾性接触する第２接触部とからなり、
前記第１検出コンタクトと前記第２検出コンタクトとは、前記先端接触部と前記第１接触部、および、前記中間接触部と前記第２接触部、の二箇所でそれぞれ弾性接触するものであって、
かつ、前記二箇所の弾性接触のうち少なくとも一方は、前記カード収容部に面していない部分で行われることを特徴とする請求項１記載のカードコネクタ。
【請求項３】
前記第１検出コンタクトは、
弾性を有する導電性金属板材によって形成され、
第１基部から連接して前記第２検出コンタクトへ向けて延在させて弾性変位可能に設けられた第１弾性片部を有しており、
前記先端接触部と中間接触部とは、当該第１弾性片部に設けられてなり、
カードの挿入、あるいは、抜去に伴って、前記先端接触部と前記第１接触部、および前記中間接触部と前記第２接触部が、それぞれ互いに異なる方向へ摺動しながら弾性接触するものであることを特徴とする請求項２記載のカードコネクタ。
【請求項４】
前記第１弾性片部は、
カードの幅方向、もしくは、カードの挿抜方向のうちの一方と平行な第１方向に沿って弾性変位可能であり、
前記第２弾性片部は、
カードの幅方向、もしくは、カードの挿入抜去方向のうちの、前記第１方向とは異なる第２方向に沿って弾性変位可能であり、
前記カード当接部は、
前記カードの隅部に対して傾斜して当接するものであって、
カードの挿入、あるいは、抜去に伴って、前記先端接触部と前記第１接触部、および前記中間接触部と前記第２接触部が、それぞれカードの幅方向、もしくは、カードの挿抜方向に沿って摺動しながら弾性接触するものであることを特徴とする請求項３記載のカードコネクタ。
【請求項５】
前記第１検出コンタクトは、前記ハウジングの背面側に、カードの幅方向に沿って配置され、前記第１弾性片部は、カードの挿抜方向に沿って弾性変位形可能であり、
前記第２検出コンタクトは、前記ハウジングの側部に、カードの挿抜方向に沿って配置され、前記第２弾性片部は、カードの幅方向に沿って弾性変位可能であることを特徴とする請求項４記載のカードコネクタ。
【請求項６】
前記中間接触部は、前記第１弾性片部を前記カード収容部の外側方向へ向けて湾曲させて設けられていることを特徴とする請求項３乃至５記載のカードコネクタ。
【発明の詳細な説明】
【技術分野】
【０００１】  本発明は、ＩＣカード、ＳＤカード、ＳＩＭカード等の種々のカード型記憶媒体（以下、カードと称する）が装着されるカードコネクタに関するものであり、さらに詳しくは、カードが装着されていることを検出するためのスイッチを備えるカードコネクタに関する。
【背景技術】
【０００２】  カード検出スイッチを備える従来のカードコネクタとして、特許文献１に開示されているものが例示される。このカードコネクタは、図６、および図７に示すように、板バネ状の可動接点９１と、同じく板バネ状の相手方接点９２とからなるカード検出スイッチ機構を備えており、カードが装着されると、摺動接点部９１ｆと第１の相手方接点部９２ｆ、突合わせ接点部９１ｇと第２の相手方接点部９２ｇとがそれぞれ接触することで、可動接点９１と相手方接点９２との間が短絡され、カードの装着を検出することができるものである。また、このカード検出スイッチ機構は、カードの挿入の進行に伴って、前述の２点の接点それぞれに摺動を発生させて、それぞれの接点をワイピングし、接点部に付着した異物等を除去することで、高い接触信頼性を得ようとするものである。
【先行技術文献】
【特許文献】
【０００３】
【特許文献１】特許第４４６９８０５号公報（段落００３１〜００３７）
【発明の概要】
【発明が解決しようとする課題】
【０００４】  この従来のカードコネクタでは、前述の２点の接点が、いずれもカード収容部に面して設けられているため、このカードコネクタへカードを挿入（あるいは抜去）した際に、カードとハウジング本体２０との間、あるいは、スライド部材５０とハウジング本体２０との間などにおいて生じる摺動に伴って発生する削れカスが、前述の２点の接点部分に付着する可能性がある。これらの部材は絶縁性樹脂で成形されているため、接点部分に付着した削れカスが前述のワイピングで除去しきれなかった場合には、接触への影響は免れないものであった。【０００５】  また、相手方接点９２を形成するために、所定の形状に打ち抜いた弾性金属板材を９０度捻る加工が必要となるため、相手方接点９２が高価なものとなっていた。さらに、相手方接点９２がカードの厚さ方向に対して弾性変位する構成のため、特にカードの厚さ方向について、小型化が困難であった。【０００６】  本発明は、このような課題を解決するためになされたものであり、カード検出スイッチの接点への異物の付着を防ぐことで高い接触信頼性を獲得し、かつ、簡素な形状のコンタクトを用いてカード検出スイッチを構成することで、従来のものよりも低廉化が可能で、さらに、薄型化も可能なカード検出スイッチ付きカードコネクタを提供することにある。
【課題を解決するための手段】
【０００７】  前述の課題を解決するために、本発明による請求項１記載のカードコネクタは、ハウジングと、当該ハウジングと組み合わせられるシールドカバーと、前記ハウジングと前記シールドカバーとによって形成されるカード収容部と、当該カード収容部へ通じており、正面へ向けて開口するカード挿入口と、前記ハウジングによって保持され、挿入されたカードの電極に弾性接触する信号コンタクトと、導電性金属板材によって形成された第１検出コンタクトと弾性を有する導電性金属板材によって形成された第２検出コンタクトとからなるカード検出スイッチとを備え、前記第１検出コンタクトは前記ハウジングに固定される第１基部を有し、前記第２検出コンタクトは前記ハウジングに固定される第２基部と、第２基部から連接して前記第１検出コンタクトへ向けて延在させて弾性変位可能に設けられた第２弾性片部とを有し、当該第２弾性片部は、前記第２基部から連接する部分を、前記カード収容部の内側方向へ折り曲げて形成され、挿入されたカードに当接して第２弾性片部を弾性変位させるカード当接部と、当該カード当接部から延在する部分を折り曲げて形成される接触部とを有してなるものであって、前記第１検出コンタクトと当該接触部とが、前記カード収容部に面していない部分において弾性接触することを特徴とする。【０００８】  本発明による請求項２記載のカードコネクタは、前記第１検出コンタクトが、当該第１検出コンタクトの先端に位置する先端接触部と、前記第１基部から先端接触部に至る間に位置する中間接触部とを有し、前記接触部は、前記カード当接部から延在する部分を折り曲げて形成され、前記先端接触部と弾性接触する第１接触部と、当該第１接触部から延在する部分を折り曲げて形成され、前記中間接触部と弾性接触する第２接触部とからなっており、前記第１検出コンタクトと前記第２検出コンタクトとが前記先端接触部と前記第１接触部、および、前記中間接触部と前記第２接触部の二箇所でそれぞれ弾性接触し、かつ、前記二箇所の弾性接触のうち少なくとも一方が、前記カード収容部に面していない部分で行われることを特徴とすることを特徴とする。【０００９】  本発明による請求項３記載のカードコネクタは、前記第１検出コンタクトが、弾性を有する導電性金属板材によって形成され、第１基部から連接して前記第２検出コンタクトへ向けて延在させて弾性変位可能に設けられた第１弾性片部を有しており、前記先端接触部と中間接触部とが当該第１弾性片部に設けられており、カードの挿入、あるいは、抜去に伴って、前記先端接触部と前記第１接触部、および前記中間接触部と前記第２接触部が、それぞれ互いに異なる方向へ摺動しながら弾性接触するものであることを特徴とする。【００１０】  本発明による請求項４記載のカードコネクタは、前記第１弾性片部が、カードの幅方向、もしくは、カードの挿抜方向のうちの一方と平行な第１方向に沿って弾性変位可能であり、前記第２弾性片部は、カードの幅方向、もしくは、カードの挿入抜去方向のうちの前記第１方向とは異なる第２方向に沿って弾性変位可能であり、前記カード当接部は、前記カードの隅部に対して傾斜して当接するものであって、カードの挿入、あるいは、抜去に伴って���前記先端接触部と前記第１接触部、および前記中間接触部と前記第２接触部が、それぞれカードの幅方向、もしくは、カードの挿抜方向に沿って摺動しながら弾性接触するものであることを特徴とする。【００１１】  本発明による請求項５記載のカードコネクタは、前記第１検出コンタクトが、前記ハウジングの背面側にカードの幅方向に沿って配置され、前記第１弾性片部がカードの挿抜方向に沿って弾性変位可能であり、前記第２検出コンタクトが、前記ハウジングの側部に、カードの挿抜方向に沿って配置され、前記第２弾性片部が、カードの幅方向に沿って弾性変位可能であることを特徴とする。【００１２】  本発明による請求項６記載のカードコネクタは、前記中間接触部が、前記第１弾性片部を前記カード収容部の外側方向へ向けて湾曲させて設けられていることを特徴とする。
【発明の効果】
【００１３】  請求項１記載の発明によれば、第１検出コンタクトと第２検出コンタクトとの間の接点をカード収容部の外側に配置したことで、挿入されたカードとカード当接部、あるいは、カードとハウジングとが摺動することに伴って発生し得るカードの外装樹脂の削れカスが接点に付着することを防ぐことができるため、接触信頼性を向上させることができる。【００１４】  請求項２記載の発明によれば、第１検出コンタクトと第２検出コンタクトの間の接点を、先端接触部と第１接触部、中間接触部と第２接触部、の二箇所としたことで、さらに接触信頼性を向上させることができる。またこの時、捻り加工を伴わない折り曲げ加工のみで第２検出コンタクトを形成したことで、捻り加工を伴う従来のものに比べて、加工コストを低減することが可能となる。【００１５】  請求項３記載の発明によれば、第１検出コンタクトにおいて、第１基部から連ねて第１弾性片部を形成し、前述の二箇所の接点それぞれに、カードの挿入・抜去の進行に伴う摺動を発生させて、各接点でのワイピングが行われるようにしたことで、より一層、接触信頼性を向上させることができる。またこの時、第１検出コンタクトの形成には捻り加工を伴わないため、加工コストが増大しない。【００１６】  請求項４記載の発明によれば、第１検出コンタクトの第１弾性片部、第２検出コンタクトの第２弾性片部の両方が、カードの厚さ方向に対して変位しないように構成することができるため、カードコネクタの薄型化が可能となる。【００１７】  請求項５記載の発明によれば、カードコネクタの挿抜方向に沿って第２検出コンタクトを配置したことで、第２弾性片部に求められる弾性特性を得るために必要となる第２弾性片部の長さを確保することが容易となる。【００１８】  請求項６記載の発明によれば、第１弾性片部の一部をカード収容部の外側方向へ向けて湾曲させて中間接触部を形成したことによって、中間接触部と第２接触部との間の摺動をスムーズなものとすることができる。
【図面の簡単な説明】
【００１９】
【図１】本発明の一実施例に係るカードコネクタの外観を、装着されるカードと共に示した図であり、（ａ）は正面側斜視図、（ｂ）は背面側斜視図である。
【図２】本発明の一実施例に係るカードコネクタのシールドカバーを除去した状態の外観を示す正面側斜視図である。
【図３】第１検出コンタクトの外観を示す正面側斜視図である。
【図４】第２検出コンタクトの外観を示す正面側斜視図である。
【図５】カードの抜去に伴う第１検出コンタクトと第２検出コンタクトの挙動を示す図であり、（ｂ）および（ｃ）は要部以外を省略している。
【図６】従来のカードコネクタの例を示す平面図である。
【図７】従来のカードコネクタのカード検出スイッチ機構を示す図である。
【発明を実施するための形態】
【００２０】  以下、本発明の一実施例に係るカードコネクタ１について、図１乃至図５を用いて説明する。尚、便宜上、カード４が挿入される面をカードコネクタ１の正面として説明することとする。
【００２１】  図１と図２を参照して、カードコネクタ１の主要な構造について説明する。カードコネクタ１は、下面側に絶縁性樹脂を射出成形することによって形成されたハウジング１１を有しており、上面側に導電性を有する金属薄板をプレス成形することによって形成されたシールドカバー１２を有している。シールドカバー１２は、カードコネクタ１の上面を構成する面からハウジング１１の外形に沿って、カードコネクタ１の左右側面、および背面へ向けて垂直に折り曲げて形成された三つの垂下面１２ａを有しており、それぞれの垂下面１２ａの先端には、垂下面１２ａの先端部分の一部をさらにカードコネクタ１の内側方向へ垂直に折り曲げて形成されたホールドダウン１２ｂを有している。ハウジング１１とシールドカバー１２とは、シールドカバー１２の上面、三つの垂下面１２ａ、およびホールドダウン１２ｂによってハウジング１１を包み込むことで、互いに組み合わされている。
【００２２】  ハウジング１１は、カードコネクタ１の下面を構成する底面と、底面から、カードコネクタ１の左右側面、および背面のそれぞれと平行に立設して設けた三つの立設壁１１ａを有している。これら三つの立設壁１１ａと、ハウジング１１の底面、および、シールドカバー１２の上面によって、挿入されたカード４が収められるカード収容部１３が構成されている。ハウジング１１、シールドカバー１２は、共に正面側へ向けて開放されており、カード収容部１３と同じ幅、同じ高さでカード収容部１３へ通じるカード挿入口１４となっている。
【００２３】  カードコネクタ１に挿入されるカード４は、公知のＳＩＭカードである。カード４の下面には、カード４に内蔵されているデータ記憶手段と電気的に接続されている八つの電極４１が所定の位置関係で配設されている。カードコネクタ１へのカード４の挿入が進行し、カード４の先端面が前述したハウジング１１の背面側の立設面に当接した状態が、カード収容部１３内における挿入されたカード４の所定の位置となる。
【００２４】  ハウジング１１には、弾性を有する導電性金属板材をプレス加工することによって形成した信号コンタクト１５が埋設され、保持されている。各信号コンタクト１５は、ハウジング１１に埋設された部分の近傍より二股に分岐して設けられた二つの弾性接触部分を有しており、一方は幅広の主コンタクト１５ａ、他方は幅狭の副コンタクト１５ｂとなっている。主コンタクト１５ａと副コンタクト１５ｂは、共にカード４の同一な電極４１に弾性接触する。このように、幅の異なる二つの弾性接触部分を設けることで、カード４に衝撃が加わった際における接触信頼性を向上させることができる。
【００２５】  信号コンタクト１５の主コンタクト１５ａと副コンタクト１５ｂは、いずれも同じ長さであり、ハウジング１１の底面に対して同じ角度で、カード４の厚さ方向に弾性変位可能な状態で、カード収容部１３内へ突出している。各信号コンタクト１５は、カード４が所定の位置にある状態において、各主コンタクト１５ａ、副コンタクト１５ｂがカード４の各電極４１に接触するように配設されている。
【００２６】  各信号コンタクト１５は、主コンタクト１５ａおよび副コンタクト１５ｂと一体に形成されたはんだ付け部１５ｃを有している。尚、主コンタクト１５ａおよび副コンタクト１５ｂとはんだ付け部１５ｃとの間を接続する部分は、ハウジング１１に埋設されており、外観には現れていない。はんだ付け部１５ｃは、カードコネクタ１を実装する印刷配線基板（図示しない）と平行に延在しており、カードコネクタ１を印刷配線基板へ載置した状態で、印刷配線基板に接するように形成されている。
【００２７】  カードコネクタ１は、カード４が挿入されたことを検出するためのカード検出スイッチ１６を備えている。カード検出スイッチ１６は、ハウジング１１の背面側に固定されている第１検出コンタクト２と、右側面側に固定されている第２検出コンタクト３とによって構成される。
【００２８】  第１検出コンタクト２は、ハウジング１１の背面側の立設壁１１ａに、第１検出コンタクト２の厚さと略同幅に設けられている第１保持溝１１ｂに圧入されて保持されている。第２検出コンタクト３も同様に、ハウジング１１の右側面側の立設壁１１ａに設けられている第２保持溝１１ｃに圧入されて保持されている。カード検出スイッチ１６は、カード４が挿入されていない状態において、第１検出コンタクト２と第２検出コンタクト３とが接触し、カード４が所定の位置まで挿入された状態において、第１検出コンタクト２と第２検出コンタクト３とが離間する、いわゆるノーマルクローズタイプのスイッチとなっている。検出スイッチの導通、非導通を図示しない検出回路によって検出することによって、カード４が挿入されているか、されていないかを判断することができる。
【００２９】  図３を参照して、第１検出コンタクト２について詳述する。第１検出コンタクト２は、弾性を有する導電性金属板材をプレス加工して形成されており、ハウジング１１に固定される第１基部２１と、カード４の挿入方向に沿って弾性変位可能な第１弾性片部２２とからなる。
【００３０】  第１基部２１は、第１延在部２１ａ、第１圧入部２１ｂ、第１はんだ付け部２１ｃを有する。第１延在部２１ａは、カードコネクタ１の幅方向に沿って延在している。第１圧入部２１ｂは、第１延在部２１ａの一部を下方へ突出させて設けられており、本実施例では全部で三つの第１圧入部２１ｂが設けられている。これらの第１圧入部２１ｂは、ハウジング１１の第１保持溝１１ｂの底面側に設けられた圧入溝（図示しない）に圧入され、ハウジング１１に対して強固に保持される。第１はんだ付け部２１ｃは、第１延在部２１ａの一部を下方へ突出させ、さらに、その先端部分を背面方向へ垂直に折り曲げ、カードコネクタ１を印刷配線基板へ載置した状態で、その先端部分が印刷配線基板に接するように形成されている。
【００３１】  第１弾性片部２２は、前述した第１基部２１から連接し、第１保持溝１１ｂによって狭持されていない弾性変位可能な部分である。第１弾性片部２２の先端付近に位置する部分には、カードコネクタ１の背面方向へ向けて突出する方向に湾曲させた中間接触部２２ａが設けられている。また、第１弾性片部２２の最も先端に位置する部分が先端接触部２２ｂである。これらの中間接触部２２ａと先端接触部２２ｂの二点が、後述する第２検出コンタクト３と接触することによって、検出スイッチが構成されている。
【００３２】  図４を参照して、第２検出コンタクト３について詳述する。第２検出コンタクト３は、弾性を有する導電性金属板材をプレス加工して形成されており、ハウジング１１に固定される第２基部３１と、カードコネクタ１の幅方向に沿って弾性変位可能な第２弾性片部３２とからなる。
【００３３】  第２基部３１は、第２延在部３１ａ、第２圧入部３１ｂ、第２はんだ付け部３１ｃを有する。第２延在部３１ａは、カードコネクタ１のカード挿入方向に沿って延在している。第２圧入部３１ｂは、第２延在部３１ａの一部を下方へ突出させて設けられており、本実施例では全部で三つの第２圧入部３１ｂが設けられている。これらの第２圧入部３１ｂは、ハウジング１１の第２保持溝１１ｃの底面側に設けられた圧入溝（図示しない）に圧入され、ハウジング１１に対して強固に保持される。第２はんだ付け部３１ｃは、第２圧入部３１ｂと兼ねて形成されている。第２圧入部３１ｂの長さは、第２圧入部３１ｂが圧入溝に完全に挿入された状態で、第２圧入部３１ｂの先端が、ハウジング１１の印刷配線基板と対向する面とほぼ同一面に位置するように設定されており、ハウジング１１の裏面側へ露出した第２圧入部３１ｂの先端を、第２はんだ付け部３１ｃとして利用できるようになっている。このように構成することで、カードコネクタ１の幅方向寸法の増大を抑制することができる。
【００３４】  第２弾性片部３２は、前述した第２基部３１から連接し、第２保持溝１１ｃによって狭持されていない弾性変位可能な部分である。第２弾性片部３２には、第２基部３１から近い順に、第１屈曲部３２ａ、第２屈曲部３２ｂ、第３屈曲部３２ｄ、第４屈曲部３２ｆが設けられている。
【００３５】  第２弾性片部３２は、第１屈曲部３２ａによって、カード収容部１３の内側方向へ向けて、約１０度の角度で折り曲げられている。これは、第２弾性片部３２における第１屈曲部３２ａより先端側の部分が変位するためのスペースを確保するための措置である。
【００３６】  第２弾性片部３２は、第２屈曲部３２ｂによって、カード収容部１３の内側方向へ向けて、さらに約２０度の角度で折り曲げられている。カード当接部３２ｃは、この第２屈曲部３２ｂから次の第３屈曲部３２ｄへ至る間の部分である。カード当接部３２ｃは、カード挿入方向に対して約３０度の角度で傾斜している。この傾斜によって、カードコネクタ１へカード４が挿入され、挿入されたカード４の隅部４２とカード当接部３２ｃとが当接した状態から、さらにカード４が押し込まれた場合、第２弾性片部３２をカード収容部１３の外側へと変位させる作用がもたらされる。
【００３７】  第２弾性片部３２は、第３屈曲部３２ｄによって、第１屈曲部３２ａ、第２屈曲部３２ｂとは逆に、カード収容部１３の外側方向へ向けて、約３０度の角度で折り曲げられている。この結果、第２弾性片部３２の第３屈曲部３２ｄから第４屈曲部３２ｆへ至る部分は、カード４の挿入方向とほぼ平行となっている。第１接触部３２ｅは、この第３屈曲部３２ｄから次の第４屈曲部３２ｆへ至る間の部分であり、前述の第１検出コンタクト２の先端接触部２２ｂと当接し、弾性接触する。第１接触部３２ｅをカード４の挿入方向とほぼ平行となるように設けることによって、第１接触部３２ｅ、先端接触部２２ｂのそれぞれの変位に伴う相互間の良好な摺動を得ることができる。
【００３８】  第２弾性片部３２は、第４屈曲部３２ｆによって、カード収容部１３の内側方向へ向けて、約９０度の角度で折り曲げられている。この結果、第２弾性片部３２の第４屈曲部３２ｆから先端へ至る部分は、カードコネクタ１の背面とほぼ平行となっている。第２接触部３２ｇは、第４屈曲部３２ｆから先端へ至る部分を、正面方向へ湾曲させて設けられており、前述の第１検出コンタクト２の中間接触部２２ａにおける背面側の面、すなわち、中間接触部２２ａにおけるカード収容部１３に面していない部分において、中間接触部２２ａと弾性接触する。
【００３９】  カードコネクタ１を印刷配線基板へ実装するに当たっては、前述の各信号コンタクト１５のはんだ付け部１５ｃ、シールドカバー１２の各ホールドダウン１２ｂ、第１はんだ付け部２１ｃ、および、第２はんだ付け部３１ｃを、それぞれ印刷配線基板上に設けられた所定の形状の銅箔露出部上へはんだ付けを行う。本実施例のように、各信号コンタクト１５や各検出コンタクトのはんだ付け部１５ｃに加えて、シールドカバー１２と一体に設けられたホールドダウン１２ｂをもはんだ付けすることで、より高い実装強度を得ることができる。
【００４０】  以下、このように構成された本発明に係るカードコネクタ１の所定の位置にカード４が装着されている状態から、カード４を抜去する際における第１検出コンタクト２と第２検出コンタクト３の挙動について、図５を参照しながら説明する。
【００４１】  図５（ａ）は、カード収容部１３の所定の位置にカード４が装着されている状態における第１検出コンタクト２と第２検出コンタクト３の様子を示している。この状態では、第２検出コンタクト３のカード当接部３２ｃが、装着されているカード４の隅部４２と当接しており、隅部４２に対して傾斜しているカード当接部３２ｃの作用によって、第２弾性片部３２が、弾性力に抗してカード収容部１３の外側へ向けて変位させられた状態となっている。この状態では、第１検出コンタクト２と第２検出コンタクト３との間が接触しておらず、検出スイッチは非導通状態となっている。
【００４２】  図５（ｂ）は、図５（ａ）の状態からカード４がわずかに抜去された状態における第１検出コンタクト２と第２検出コンタクト３の様子を示している。この段階では、カード４の抜去に伴って、カード４の隅部４２とカード当接部３２ｃとの当接箇所が第２基部３１の方向へ移動し、第２弾性片部３２が弾性復帰力によってカード収容部１３内側へ向けて、やや変位している。この結果、第１検出コンタクト２の中間接触部２２ａと第２検出コンタクト３の第２接触部３２ｇとが接触し始める状態にある。
【００４３】  図５（ｃ）は、図５（ｂ）に示す位置よりも、さらにカード４が抜去された状態における第１検出コンタクト２と第２検出コンタクト３の様子を示している。この段階になると、カード当接部３２ｃとカード４の隅部４２とは当接しなくなり、第１検出コンタクト２と第２検出コンタクト３とが、相互に弾性接触している状態となっている。図５（ｂ）の状態の後、カード４の抜去の進行によって、第２弾性片部３２のカード収容部１３の内側へ向けた変位がさらに進行する。これに伴って、中間接触部２２ａと第２接触部３２ｇとは、中間接触部２２ａの湾曲に沿って摺動し続ける。このため、中間接触部２２ａと第２接触部３２ｇとの接点において、ワイピングを得ることができる。
【００４４】  第２接触部３２ｇの変位は、第２弾性片部３２の第２基部側の端部を中心とする円に沿う軌跡となる。このため第２接触部３２ｇは、変位の進行に伴って、中間接触部２２ａを、カード収容部１３の内側（カード４の抜去方向側）へ向けて弾性変位させる。この時、中間接触部２２ａが背面側へ向けて湾曲していることによって、第２接触部３２ｇの変位軌跡と、中間接触部２２ａと第２接触部３２ｇとの接点の移動軌跡とがほぼ同一となるため、摺動がスムーズに行われる。中間接触部２２ａが変位すると同時に、先端接触部２２ｂもカード収容部１３の内側へ向けて変位する。この先端接触部２２ｂの変位は、先端接触部２２ｂと第２検出コンタクト３の第１接触部３２ｅとが当接する瞬間も継続しているため、これらが接触する際に、ワイピングを得ることができる。
【００４５】  ここまで述べた通り、カードコネクタ１の検出スイッチにおいて、カード４を抜去する場合に、中間接触部２２ａと第２接触部３２ｇ、および、先端接触部２２ｂと第１接触部３２ｅとの間がそれぞれ摺接することで、これら二つの接点のそれぞれがワイピングされる。
【００４６】  一連の挙動において、カード４の隅部４２とカード当接部３２ｃとの間での摺動が発生する。また、カード４と、カード収容部を構成するハウジング１１、及びシールドカバー１２との間でも摺動が発生する。カード４の外装、及びハウジング１１は絶縁性合成樹脂によって形成されているため、摺動に伴って細かな削れカスが発生する可能性があるが、中間接触部２２ａと第２接触部３２ｇとの間の接点が第１検出コンタクト２の背面側に位置するため、前述の細かな削れカスがこの接点へ侵入し、付着することによる電気的接触への悪影響が回避される。また、前述のワイピングによる異物除去の作用によって、接点がクリーンな状態に保たれ、高い接触信頼性を得ることができる。
【００４７】  以上、カード収容部１３の所定の位置にカード４が装着されている状態からカード４が抜去された場合の第１検出コンタクト２と第２検出コンタクト３の挙動について述べたが、抜去する場合とは逆に、カード４が挿入される場合においては、これまで述べた挙動が逆に進行することは言うまでもない。
【００４８】  尚、信号コンタクト１５、第１検出コンタクト２、及び、第２検出コンタクト３のハウジングによる固定方法は、本実施例で採用している圧入に限定されるものではなく、一体成形などの任意の固定方法が適用されてよい。
【産業上の利用可能性】
【００４９】  本発明は、カード検出スイッチを備えるカードコネクタに好適に応用でき、カード検出スイッチの接触信頼性の向上に寄与する。
【符号の説明】
【００５０】１  カードコネクタ
１１  ハウジング
１１ａ  立設壁
１１ｂ  第１保持溝
１１ｃ  第２保持溝
１２  シールドカバー
１２ａ  垂下面
１２ｂ  ホールドダウン
１３  カード収容部
１４  カード挿入口
１５  信号コンタクト
１５ａ  主コンタクト
１５ｂ  副コンタクト
１５ｃ  はんだ付け部
１６  カード検出スイッチ
２  第１検出コンタクト
２１  第１基部
２１ａ  第１延在部
２１ｂ  第１圧入部
２１ｃ  第１はんだ付け部
２２  第１弾性片部
２２ａ  中間接触部
２２ｂ  先端接触部
３  第２検出コンタクト
３１  第２基部
３１ａ  第２延在部
３１ｂ  第２圧入部
３１ｃ  第２はんだ付け部
３２  第２弾性片部
３２ａ  第１屈曲部
３２ｂ  第２屈曲部
３２ｃ  カード当接部
３２ｄ  第３屈曲部
３２ｅ  第１接触部
３２ｆ  第４屈曲部
３２ｇ  第２接触部
４  カード
４１  電極
４２  隅部
【図１】
2013012451.tif 000003
【図２】
2013012451.tif 000004
【図３】
2013012451.tif 000005
【図４】
2013012451.tif 000006
【図５】
2013012451.tif 000007
【図６】
2013012451.tif 000008
【図７】
2013012451.tif 000009